(57)【特許請求の範囲】
【請求項１】
設定項目を表示部に表示／非表示に切り替え可能なメッセージ表示機能を備えた成形機であって、前記設定項目が非表示とされた設定項目枠を選択した際、前記表示部上に、前記非表示にされた設定項目を表示したメッセージウィンドウを表示させ、このメッセージウィンドウの表示と共に表示される設定項目表示／非表示選択設定にて、表示する方を選択設定することにより、前記設定項目枠内に前記設定項目を表示させると共に、この設定項目の内容に対応した動作をオンにすることを特徴とするメッセージ表示機能を備えた成形機。
【請求項２】
表示部に直接触れて選択操作することが可能なタッチパネルが付設されていることを特徴とする請求項１記載のメッセージ表示機能を備えた成形機。
【発明の詳細な説明】
【技術分野】
【０００１】
本発明は、設定項目を表示部に表示するメッセージ表示機能を備えた成形機に関する。
【背景技術】
【０００２】
従来から、物品の成形・加工を行う射出成形機などにおいては、一般的に、その稼動状況などを表示するためのディスプレイ装置が設けられている。このようなディスプレイ装置の表示部には、表示部の操作画面に触れることで、直接操作を行うタッチパネル機能を有するものが利用されている。
【０００３】
上記背景技術に関連するものとして、成形機の制御パラメータ等を設定する入力項目の指定等を行うために、ディスプレイに表示した画面上で、入力項目に対応したタッチエリアにタッチ接点を有し、ディスプレイ上で入力の不要なタッチエリアに、マスキング処理と呼ぶ多数のドットを表示して、マスキング処理をしたタッチエリアの入力をできないようにする従来技術が特許文献１に開示されている。また、従来から、ディスプレイの画面上で設定項目を画面の背景色と同じ色で表示して設定項目を視認できないようマスク処理を行い、画面上における使用しない設定項目を表示しないようにする表示方法が用いられている。
【０００４】
【特許文献１】特許第２５７７１５１号公報
【発明の開示】
【発明が解決しようとする課題】
【０００５】
しかし、前述した画面上で設定項目をディスプレイに表示した背景色と同じ色でマスク処理を行う方法では、本来、画面上に設定項目を表示することで、種々の設定項目に対応した機能を利用することができるにも係らず、誤操作の防止などの観点から、意図的に設定項目に対応した機能を利用できないよう設定し、こうした装置の操作に精通したオペレータなどにとっては、本来有する装置の機能を十分に利用することができない。
【０００６】
本発明は、上記課題に鑑みてなされたものであり、非表示にされている設定項目を必要に応じて表示させ、その表示した設定項目に対応した動作を行わせることが可能な利便性を向上したメッセージ表示機能を備えた成形機を提供することを目的とする。
【課題を解決するための手段】
【０００７】
請求項１のメッセージ表示機能を備えた成形機は、設定項目を表示部に表示／非表示に切り替え可能なメッセージ表示機能を備えた成形機であって、前記設定項目が非表示とされた設定項目枠を選択した際、前記表示部上に、前記非表示にされた設定項目を表示したメッセージウィンドウを表示させ、このメッセージウィンドウの表示と共に表示される設定項目表示／非表示選択設定にて、表示する方を選択設定することにより、前記設定項目枠内に前記設定項目を表示させると共に、この設定項目の内容に対応した動作をオンにすることを特徴とする。
【０００８】
請求項２のメッセージ表示機能を備えた成形機は、請求項１記載のメッセージ表示機能を備えた成形機において、表示部に直接触れて選択操作することが可能なタッチパネルが付設されていることを特徴とする。
【発明の効果】
【０００９】
本発明の請求項１のメッセージ表示機能を備えた成形機によれば、設定項目を表示部に表示／非表示に切り替え可能なメッセージ表示機能を備えた成形機であって、前記設定項目が非表示とされた設定項目枠を選択した際、前記表示部上に、前記非表示にされた設定項目を表示したメッセージウィンドウを表示させ、このメッセージウィンドウの表示と共に表示される設定項目表示／非表示選択設定にて、表示する方を選択設定することにより、前記設定項目枠内に前記設定項目を表示させると共に、この設定項目の内容に対応した動作をオンにするので、目視できないよう設定項目枠に非表示にされた設定項目を必要に応じて表示させ、その表示した設定項目の内容に対応した装置などをオンに切り替えて動作させることができるので、利便性を向上した成形機を得ることができる。
【００１０】
本発明の請求項２のメッセージ表示機能を備えた成形機によれば、請求項１のメッセージ表示機能を備えた成形機において、表示部に直接触れて選択操作することが可能なタッチパネルが付設されているので、表示部に表示された設定項目枠などを選択する際、表示部に直接触れて簡単に選択操作することができる。
【発明を実施するための最良の形態】
【００１１】
以下、本発明の具体的実施例について、図面を参照しながら説明する。なお、以下の実施態様は、本発明を具体化する際の一形態であって、本発明をその範囲内に限定するためのものではない。
【００１２】
図１は本実施例の射出成形機を示す概略図、図２は射出成形機の概略構成を示すブロック図、図３は非表示にされた設定項目枠を表示部に表示した状態を示す説明図、図４は表示部にメッセージウィンドウが表示された状態を示す説明図、図５は設定項目枠に設定項目を表示した状態を示す説明図、図６は非表示の設定項目を設定項目枠に表示する動作手順を示すフローチャートであり、図１〜６を参照しながら本実施例の射出成形機を以下に説明する。
【００１３】
本発明の一例における成形機たる射出成形機１は、機械的な動作により物品の成形を行うものであり、図１に示すように、主に金型２の開閉を行う型締めユニット３と樹脂材料を加熱溶融し金型２のキャビティ４に射出する射出ユニット５などを構成する成形機構部１０を備えている。
【００１４】
射出成形機１には、図２に示すように、タッチパネル１１の付設された表示部１２、射出成形機１の全体の制御を行うマイクロコンピュータなどの制御手段１３、タッチパネル１１の操作により入力される信号の判別などを行う入力処理手段１４などを備え、制御手段１３には、射出成形機１の各種設定項目や実測値などを表示部１２に表示したり、表示部１２に表示された背景画面１５上に表示されている設定項目枠１６に設定項目３０の表示／非表示制御を行う画面表示処理手段１７を備える。
【００１５】
１８は射出成形機１の動作条件などを格納する記憶部であり、この記憶部１８は、タッチパネル１１から入力された条件に基づき、制御手段１３が記憶部１８に格納された動作条件に従って、表示部１２に設定項目３０などの表示処理などを行うようなっている。
【００１６】
次に、図３〜図５により記憶部の動作条件に従って表示部に設定項目などを表示する動作例について以下に説明する。図３は設定項目３０が表示部１２に非表示にされた状態を示す図であり、ユーザなどが表示部１２に表示されている背景画面１５上の「オプション選択」の欄に表示されている設定項目枠１６に触れて（タッチして）選択すると、入力処理手段１４がタッチパネル１１の操作により入力された信号を判別して、図４に示すように、表示部１２の背景画面１５上に、設定項目表示／非表示選択設定３１と、「射出スタート信号使用」などの設定項目３０を表示したメッセージウィンドウ２０とが画面表示処理手段１７により表示される。設定項目表示／非表示選択設定３１では、設定項目枠１６に設定項目３０を表示するために、設定項目表示／非表示選択設定３１に触れて「オン」を選択設定することにより、図５に示すように、設定項目枠１６に設定項目３０と「オン」とが画面表示処理手段１７により表示されると共に、画面表示処理手段１７が背景画面１５上に表示されているメッセージウィンドウ２０を非表示に切り替える。つまり、設定項目３０が非表示にされている設定項目枠１６に（図３の状態）、メッセージウィンドウ２０に表示されたものと同じ設定項目３０である「射出スタート信号使用」が表示される（図５の状態）。そして、この表示に伴い設定項目３０に対応した装置などの動作が制御手段１３によりオンにされる。
【００１７】
なお、図５に示す設定項目枠１６内の「オン」の表示は、設定項目枠１６に表示された設定項目３０に対応した動作状態を示すスイッチとして表示部１２に表示されるものであり、また、本実施例における設定項目表示／非表示選択設定３１は、図４に示すように、メッセージウィンドウ２０に表示されているが、特にこれに限定するものではなく、メッセージウィンドウ２０とは別の画面として表示部１２に表示されてもよいことは言うまでもない。
【００１８】
ここで、図６に示すフローチャートに基づきさらに説明する。先ずステップ１にて表示部１２の背景画面１５に表示されている、設定項目３０が非表示とされている設定項目枠１６にタッチすると、ステップ２にて背景画面１５上にメッセージウィンドウ２０が表示される。そして、メッセージウィンドウ２０の表示と共に、ステップ３にて背景画面１５上に表示された設定項目表示／非表示選択設定３１としてのオン／オフを、ユーザがオンに切り替えると、ステップ４にて非表示にされている設定項目３０が設定項目枠１６に表示され、設定項目３０の内容に対応した、すなわち、「射出スタート信号使用」に対応した射出成形機１に構成する部品や装置などの動作をオンにする。また、ステップ３にてユーザが設定項目表示／非表示選択設定３１のオン／オフをオフにした際には、ステップ５にて設定項目枠１６への設定項目３０の非表示は継続される。
【００１９】
以上のように、本実施例の射出成形機１によれば、ユーザが、設定項目３０が非表示とされた設定項目枠１６を選択した際、表示部１２上に、前記非表示にされた設定項目３０を表示したメッセージウィンドウ２０を表示させ、このメッセージウィンドウ２０の表示と共に表示部１２上に表示される設定項目表示／非表示選択設定３１としての、表示／非表示の切り替えを行うオン／オフの内、表示する方であるオンをユーザが選択設定することにより、設定項目枠１６内に設定項目３０が表示されると共に、この設定項目３０の内容に対応した装置などの動作をオンにする。従って、目視できないよう設定項目枠１６に非表示にされた設定項目３０を、必要に応じて設定項目枠１６内に表示することができ、表示した設定項目３０の内容に対応した射出成形機１に構成される装置などをオンに切り替えて動作させることができるので、利便性を向上することができる。
【００２０】
さらに、表示部１２にはタッチパネル１１が付設されているので、ユーザが、表示部１２に表示された設定項目枠１６や設定項目表示／非表示選択設定ａ２のオン／オフなどを選択する際、表示部１２に直接触れて簡単に選択操作することができるので操作性に優れる。
【図面の簡単な説明】
【００２１】
【図１】本実施例の射出成形機を示す概略図である。
【図２】同上、射出成形機の概略構成を示すブロック図である。
【図３】同上、非表示にされた設定項目枠を表示部に表示した状態を示す説明図である。
【図４】同上、表示部にメッセージウィンドウが表示された状態を示す説明図である。
【図５】同上、設定項目枠に設定項目を表示した状態を示す説明図である。
【図６】非表示の設定項目を設定項目枠に表示する動作手順を示すフローチャートである。
【符号の説明】
【００２２】
１  射出成形機（成形機）
１１  タッチパネル
１２  表示部
１６  設定項目枠
２０  メッセージウィンドウ
３０  設定項目
３１  設定項目表示／非表示選択設定
【図１】
0004648127.tif 000002
【図２】
0004648127.tif 000003
【図３】
0004648127.tif 000004
【図４】
0004648127.tif 000005
【図５】
0004648127.tif 000006
【図６】
0004648127.tif 000007